(57)【要約】【課題】料理を楽しむための環境を提供する環境調整システムを提供する。【解決手段】環境調整システム１は、対象空間の空気環境を変更する空気調和装置と、対象空間の照明状態を変更する照明装置と、画像取得部６１０と、制御部６２０と、を備える。画像取得部は、対象空間の画像を取得する。制御部は、画像取得部の取得した画像から、対象空間に料理が存在するか否かを判定する。制御部は、対象空間に料理が存在すると判定する場合に、画像取得部が取得した画像に基づいて空気調和装置及び照明装置を制御する。【選択図】図３
2019178859.tif 000002
【特許請求の範囲】
【請求項１】
対象空間（Ｒ）の空気環境及び前記対象空間の照明状態の少なくとも一方を変更する環境変更部（１００，３００）と、
前記対象空間の画像を取得する画像取得部（６１０）と、
前記画像取得部の取得した画像から、前記対象空間に料理が存在するか否かを判定し、前記対象空間に前記料理が存在すると判定する場合に、前記画像取得部が取得した画像に基づいて前記環境変更部を制御する制御部（６２０）と、
を備える、環境調整システム（１）。
【請求項２】
前記制御部は、前記画像取得部の取得した画像から前記対象空間における前記料理の位置を判断し、判断した前記料理の位置に基づいて前記環境変更部を制御する、
請求項１に記載の環境調整システム。
【請求項３】
前記制御部は、前記画像取得部の取得した画像から前記料理の種類を判断し、判断した前記料理の種類に基づいて前記環境変更部を制御する、
請求項１又は２に記載の環境調整システム。
【請求項４】
前記環境変更部は、前記対象空間に空気を吹き出す送風機構（１２）が吹き出す空気の気流を少なくとも変更し、
前記制御部は、前記画像取得部の取得した画像から前記料理に生鮮品が含まれるか否かを判定し、前記料理に生鮮品が含まれると判定する場合に、前記送風機構の吹き出す空気が前記生鮮品に直接当たらないように前記環境変更部を制御する、
請求項２に記載の環境調整システム。
【請求項５】
前記制御部は、前記料理の温冷を判断し、判断した前記料理の温冷に基づいて前記環境変更部を制御する、
請求項１から４のいずれか１項に記載の環境調整システム。
【請求項６】
前記環境変更部は、前記対象空間の温度を少なくとも変更し、
前記制御部は、判断した前記料理の温冷に基づいて、前記対象空間の温度を変更するように前記環境変更部を制御する、
請求項５に記載の環境調整システム。
【請求項７】
前記制御部は、前記画像取得部の取得した画像から前記料理を食する食事の進捗度を更に判断し、判断した前記食事の進捗度に基づいて前記環境変更部を制御する、
請求項１から６のいずれか１項に記載の環境調整システム。
【発明の詳細な説明】
【技術分野】
【０００１】
本開示は、環境調整システム、より具体的には、対象空間の空気環境及び照明状態の少なくとも一方を変更可能な環境調整システムに関する。
【背景技術】
【０００２】
従来、特許文献１（特開２０１３−５４５４１号公報）のように、画像から料理を判別する装置が知られている。また、特許文献１（特開２０１３−５４５４１号公報）には、得られた料理の判別結果が、摂取カロリーを調べる等の用途に利用されることが記載されている。
【発明の概要】
【発明が解決しようとする課題】
【０００３】
しかし、特許文献１（特開２０１３−５４５４１号公報）には、料理の存在に対し、その料理を楽しめる環境をどのように提供するかという観点に関しては、何ら記載されていない。
【課題を解決するための手段】
【０００４】
第１観点の環境調整システムは、環境変更部と、画像取得部と、制御部と、を備える。環境変更部は、対象空間の空気環境及び対象空間の照明状態の少なくとも一方を変更する。画像取得部は、対象空間の画像を取得する。制御部は、画像取得部の取得した画像から、対象空間に料理が存在するか否かを判定する。制御部は、対象空間に料理が存在すると判定する場合に、画像取得部が取得した画像に基づいて環境変更部を制御する。
【０００５】
ここでは、料理の存在する空間（料理を食べる空間）の画像に基づき、その空間の空気環境や照明状態が制御されるので、料理を楽しむのに適した空間環境が実現されやすい。
【０００６】
第２観点の環境調整システムは、第１観点の環境調整システムであって、制御部は、画像取得部の取得した画像から対象空間における料理の位置を判断し、判断した料理の位置に基づいて環境変更部を制御する。
【０００７】
ここでは、料理の位置に基づいて環境変更部が制御されるので、料理を楽しむのに適した空間環境が実現されやすい。
【０００８】
第３観点の環境調整システムは、第１観点又は第２観点の環境調整システムであって、制御部は、画像取得部の取得した画像から料理の種類を判断し、判断した料理の種類に基づいて環境変更部を制御する。
【０００９】
ここでは、料理の種類に基づいて環境変更部が制御されるので、料理を楽しむのに適した空間環境が実現されやすい。
【００１０】
第４観点の環境調整システムは、第２観点の環境調整システムであって、環境変更部は、対象空間に空気を吹き出す送風機構が吹き出す空気の気流を少なくとも変更する。制御部は、画像取得部の取得した画像から料理に生鮮品が含まれるか否かを判定する。制御部は、料理に生鮮品が含まれると判定する場合に、送風機構の吹き出す空気が生鮮品に直接当たらないように環境変更部を制御する。
【００１１】
ここでは、生鮮品に直接風が当たらないように気流が制御されるので、生鮮品が乾燥／劣化する等の問題の発生を抑制することができる。
【００１２】
第５観点の環境調整システムは、第１観点から第４観点のいずれかの環境調整システムであって、制御部は、料理の温冷を判断し、判断した料理の温冷に基づいて環境変更部を制御する。
【００１３】
ここでは、料理の温冷に基づいて環境変更部が制御されるので、料理を楽しむのに適した空間環境が実現されやすい。
【００１４】
第６観点の環境調整システムは、第５観点の環境調整システムであって、環境変更部は、対象空間の温度を少なくとも変更する。制御部は、判断した料理の温冷に基づいて、対象空間の温度を変更するように環境変更部を制御する。
【００１５】
ここでは、料理の温冷に基づいて対象空間の温度が変更されるので、料理を楽しむのに適した空間環境が特に実現されやすい。
【００１６】
第７観点の環境調整システムは、第１観点から第６観点のいずれかの環境調整システムであって、制御部は、画像取得部の取得した画像から料理を食する食事の進捗度を更に判断し、判断した食事の進捗度に基づいて環境変更部を制御する。
【００１７】
ここでは、料理の進捗度に基づいて環境変更部が制御されるので、食事の進捗度に応じた快適な空間環境が実現されやすい。
【図面の簡単な説明】
【００１８】
【図１】一実施形態に係る環境調整システムの概略構成図である。
【図２】図１の環境調整システムの概略ブロック図である。
【図３】空気調和装置のコントローラ、照明装置の照明コントローラ及びサーバにより構成される環境調整システムの制御装置の概略ブロック図である。
【図４】図３の制御装置の記憶部のパターンデータベースに記憶されている情報の一例である。
【図５】図１の環境調整システムによる対象空間の環境制御のフローチャートの一例である。
【発明を実施するための形態】
【００１９】
一実施形態の環境調整システム１について説明する。
【００２０】
（１）全体構成
環境調整システム１の概要を、図１及び図２を参照しながら説明する。図１は環境調整システム１の概略構成図であり、図２は環境調整システム１の概略ブロック図である。
【００２１】
環境調整システム１は、対象空間Ｒの空気環境及び照明状態の少なくとも一方を変更する環境変更部を有する。環境調整システム１は、対象空間Ｒの画像から対象空間Ｒに料理が存在するか否かを判定し、対象空間Ｒに料理が存在すると判定する場合に、対象空間Ｒの画像に基づいて環境変更部を制御して対象空間Ｒの空気環境や照明状態を調整する。
【００２２】
ここで、環境変更部が対象空間Ｒの空気環境を変更するとは、環境変更部が対象空間Ｒの温度、湿度、気流（風速及び／又は風向）、及び、臭いの少なくとも１つを変更可能であることを意味する。また、ここで、環境変更部が対象空間Ｒの照明状態を変更するとは、環境変更部が対象空間Ｒの照明の明るさ、照明の色、及び照明の態様（直接照明か間接照明か）の少なくとも１つを変更可能であることを意味する。
【００２３】
環境調整システム１の環境変更部は、対象空間Ｒの空気環境及び照明状態の少なくとも一方を変更するものであればよいが、本実施形態では、環境変更部は対象空間Ｒの空気環境及び照明状態の両方を変更する。ここでは、環境調整システム１の環境変更部は、対象空間Ｒの空気環境を変更する空気調和装置１００と、対象空間Ｒの照明状態を変更する照明装置３００と、を含む。空気調和装置１００は、対象空間Ｒの温度、湿度、気流（風速及び風向）を変更可能である。なお、対象空間Ｒの空気環境を変更する機器は、空気調和装置に限定されるものではなく、空気清浄機、扇風機、換気扇等であってもよい。
【００２４】
本実施形態では、対象空間Ｒは人が生活する住宅の部屋である。ただし、対象空間Ｒは住宅の部屋に限定されるものではなく、対象空間Ｒは食堂やレストラン等の空間であってもよい。また、対象空間Ｒは１つの部屋の空間全体でなくてもよく、部屋内の一部の空間であってもよい。
【００２５】
本実施形態では、環境調整システム１により存在の有無が判定される料理には、食器に盛り付けられた料理や、食卓で調理される料理（鍋で調理される料理や、ホットプレート等で調理される料理）や、グラスやカップに入れられた飲料等を含む。なお、ここで列挙した環境調整システム１により存在の有無が判定される料理の種類は例示であり、環境調整システム１は、列挙した以外の料理の存在の有無を判定してもよく、列挙した料理の存在の一部又は全部を判断しなくてもよい。
【００２６】
環境調整システム１の構成の概略について説明する。
【００２７】
環境調整システム１は、空気調和装置１００と、照明装置３００と、サーバ２００と、を主に含む（図１及び図２参照）。空気調和装置１００（具体的には、後述する空気調和装置１００のコントローラ５０）と、照明装置３００（具体的には、後述する照明装置３００の照明コントローラ３３０）と、サーバ２００とは、ネットワークＮＷにより通信可能に接続される。ネットワークＮＷは、ここではインターネットであるが、他のＷＡＮや、ＬＡＮであってもよい。
【００２８】
空気調和装置１００は、ある建物（住宅Ａ）に設置されている（図１参照）。空気調和装置１００は、室内機１０の配置される住宅Ａの部屋内（対象空間Ｒ）の空気調和を行う（図１参照）。
【００２９】
空気調和装置１００は、対象空間Ｒの空気環境、特には対象空間Ｒの温度、湿度、及び気流（風速及び／又は風向）を変更可能である。空気調和装置１００の室内機１０は、対象空間Ｒに配置され、対象空間Ｒに空気を吹き出す送風機構の一例としての室内ファン１２を有する。
【００３０】
照明装置３００は、対象空間Ｒの照明状態を変更可能である。照明装置３００は、対象空間Ｒに配置される第１照明機器３１０及び第２照明機器３２０を含む。ここでは、第１照明機器３１０は直接照明の照明機器であり、第２照明機器３２０は間接照明の照明機器である。
【００３１】
サーバ２００は、各種処理を行うコンピュータである。サーバ２００は、設置場所を限定するものではないが、通常、住宅Ａとは別の場所に設置される。
【００３２】
なお、図１では、サーバ２００は、住宅Ａに設置されている空気調和装置１００及び照明装置３００とのみネットワークＮＷを介して通信可能に接続されているが、これに限定されるものではない。サーバ２００は、ネットワークＮＷを介して複数の住宅（又は住宅以外の建物）の環境変更部（空気調和装置や照明装置等）と通信可能に接続されてもよい。言い換えれば、サーバ２００は、住宅Ａに設置された空気調和装置１００及び照明装置３００と共に環境調整システム１を構成すると共に、他の建物に設置された環境変更部と共に別の環境調整システムを構成してもよい。ここでは、説明の単純化のため、サーバ２００は、住宅Ａに設置されている空気調和装置１００及び照明装置３００とのみネットワークＮＷを介して接続されているものとする。
【００３３】
また、ここでは、説明の単純化のため、住宅Ａは１つの部屋（対象空間Ｒ）のみを有し、住宅Ａには対象空間Ｒの空気調和のために１台の空気調和装置１００が設置され、空気調和装置１００は対象空間Ｒに配置される室内機１０を１台だけ有するものとする。また、ここでは、住宅Ａには対象空間Ｒの照明のために第１照明機器３１０及び第２照明機器３２０を含む照明装置３００が設置されているものとする。ただし、このような態様に限定されるものではない。例えば、住宅Ａには、複数の部屋が存在し、複数の部屋のそれぞれに空気調和装置１００及び照明装置３００が設置されてもよい。また、ここでは、説明の単純化のため、空気調和装置１００は、対象空間Ｒに室内機１０を１台だけ有するものとするが、空気調和装置１００は、対象空間Ｒに２台以上の室内機１０を有していてもよい。また、対象空間Ｒには、空気調和装置１００（室内機１０）に加え、空気調和装置１００とは種類が異なる対象空間Ｒの空気環境を変更する機器（例えば、空気清浄機、扇風機、換気扇等）が更に設置されていてもよい。
【００３４】
また、ここでは、サーバ２００は１台のコンピュータであるが、これに限定されるものではない。サーバ２００は、同じ場所に設置される、又は、互いに異なる場所に設置され互いにネットワークで接続される複数台のコンピュータで構成されてもよい。
【００３５】
（２）詳細構成
以下に、図１〜図４を参照しながら、空気調和装置１００と、照明装置３００と、サーバ２００と、について更に説明する。また、以下では、空気調和装置１００のコントローラ５０と、照明装置３００の照明コントローラ３３０と、サーバ２００とにより構成される制御装置６００とについても説明する。
【００３６】
なお、図３は、主にコントローラ５０、照明コントローラ３３０、及びサーバ２００により構成される制御装置６００の概略ブロック図である。図４は、後述する制御装置６００の記憶部６７０のパターンデータベース６７２に記憶される情報の一例である。
【００３７】
（２−１）空気調和装置
空気調和装置１００は、室内機１０が配置されている対象空間Ｒの冷房、除湿や暖房を行う装置である。ここでは、空気調和装置１００の運転モードには、冷房運転モード、除湿運転モード、暖房運転モード及び送風運転モードが含まれる。なお、他の態様では、空気調和装置１００は、例えば、冷房専用の装置であってもよい。ここでは、空気調和装置１００は、蒸気圧縮冷凍サイクルを利用して冷房・暖房等を行う。
【００３８】
空気調和装置１００は、室内機１０と、室外機２０と、室内機１０と室外機２０との間を接続する冷媒連絡配管（図示せず）と、リモートコントローラ３０と、を主に有する（図１及び図２参照）。なお、図１には壁掛式の室内機１０が描画されているが、空気調和装置１００は、天井設置式（天井埋込式や天井吊下式）や床置式等の他のタイプの室内機を有するものであってもよい。
【００３９】
空気調和装置１００では、室内機１０と室外機２０とが冷媒連絡配管を介して接続されることで、室内機１０の室内熱交換器（図示省略）や、室外機２０の圧縮機、室外熱交換器、膨張弁等（図示省略）が配管により接続され、冷媒回路が構成される。空気調和装置１００は、冷媒回路内で冷媒を循環させ、対象空間Ｒの空気と冷媒回路を流れる冷媒との間で熱交換を行わせることで、室内機１０の設置された対象空間Ｒの冷房・暖房等を行う。具体的には、空気調和装置１００は、室内機１０の室内ファン１２（図２参照）を用いて、対象空間Ｒの空気を室内機１０の筐体１１（図１参照）内に取り込んで室内熱交換器に供給し、室内熱交換器の内部を流れる冷媒と熱交換を行った空気を対象空間Ｒに吹き出して、対象空間Ｒの冷房・暖房等を行う。なお、蒸気圧縮冷凍サイクルを利用した空気調和装置１００の動作原理は公知であるため、ここでは説明を省略する。
【００４０】
室内機１０は、図示しない室内熱交換器、室内ファン１２、室内熱交換器や室内ファン１２を内部に収容する筐体１１、対象空間Ｒの温度を測定する温度センサ１４、対象空間Ｒの湿度を測定する湿度センサ１６、風向調節フラップ１７及び室内コントローラ１８を含む（図１及び図２参照）。室内ファン１２は、対象空間Ｒに空気を吹き出す送風機構の一例である。室内ファン１２は、限定するものではないが、例えば風量可変のファンである。風向調節フラップ１７は、室内機１０が空気を吹き出す吹出口に設けられ、図示しないモータで駆動されて室内ファン１２が吹き出す空気の風向を調節する。室内コントローラ１８は、例えば、ＣＰＵ、メモリ、入出力ポート等を主に有するＭＣＵ（Micro Control Unit）である。また、室内機１０には、カメラ４００が搭載されている。カメラ４００については、後ほど説明する。
【００４１】
室外機２０は、図示しない圧縮機、室外熱交換器、膨張弁、及び室外ファンや、室外コントローラ２２を主に含む。室外コントローラ２２は、例えば、ＣＰＵ、メモリ、入出力ポート等を主に有するＭＣＵである。
【００４２】
リモートコントローラ３０は、空気調和装置１００のユーザによる各種指示や各種情報の入力を受け付ける機器である。リモートコントローラ３０は、ＣＰＵ、メモリ、入出力ポート等を主に有するＭＣＵを含む。また、リモートコントローラ３０は、図示しない表示部を有し、表示部に現在の空気調和装置１００の運転状態等を表示可能に構成されていてもよい。
【００４３】
室内コントローラ１８と、室外コントローラ２２と、リモートコントローラ３０とは通信可能に接続されており、全体としてコントローラ５０を構成する。空気調和装置１００の動作は、コントローラ５０により制御される。コントローラ５０は、メモリに記憶されたプログラムを実行することで、リモートコントローラ３０に入力されたユーザの指示や、空気調和装置１００の各部に設けられたセンサの計測値に基づいて、空気調和装置１００の各種機器の動作を制御する。なお、空気調和装置１００の各部に設けられたセンサには、温度センサ１４や湿度センサ１６を含む。コントローラ５０が動作を制御する空気調和装置１００の機器には、例えば、室外機２０の図示しない圧縮機、膨張弁、及び室外ファンや、室内機１０の室内ファン１２及び風向調節フラップ１７を含む。コントローラ５０によるこれらの機器の動作の一般的な制御については、一般に知られているためここでは説明は省略する。
【００４４】
コントローラ５０は、図示しないモデム／ＯＮＵやルータ等を介してネットワークＮＷに接続され、照明装置３００の照明コントローラ３３０及びサーバ２００と通信可能に接続されている。コントローラ５０は、照明コントローラ３３０及びサーバ２００と共に制御装置６００を構成する（図３参照）。制御装置６００による対象空間Ｒの空気環境を変更するための空気調和装置１００の制御については後述する。
【００４５】
（２−２）照明装置
照明装置３００は、対象空間Ｒを照明する装置である。
【００４６】
照明装置３００は、第１照明機器３１０と、第２照明機器３２０と、照明コントローラ３３０と、を主に含む。なお、照明装置３００は、２つの照明機器３１０，３２０を有していなくてもよく、例えば、照明機器３１０，３２０のいずれか一方だけを有していてもよい。また、照明装置３００は、３つ以上の照明機器を有していてもよい。
【００４７】
第１照明機器３１０は、直接照明の照明機器である。第１照明機器３１０は、例えば、天井に設けられている。第１照明機器３１０は、例えばＬＥＤ電球を用いた照明機器である。第１照明機器３１０は、好ましくは調色機能を有し、照明の色を、昼光色、昼白色、電球色等に切換可能である。また、第１照明機器３１０は、好ましくは照明の明るさを変更可能である。
【００４８】
第２照明機器３２０は、第１照明機器３１０とは異なる照明機器である。第２照明機器３２０は、間接照明の照明機器である。なお、他の態様では、第２照明機器３２０も直接照明の照明機器であってもよい。第２照明機器３２０は、例えば、床や壁に設けられている。第２照明機器３２０は、例えばＬＥＤ電球を用いた照明機器である。第２照明機器３２０も、第１照明機器３１０と同様に、好ましくは調色機能を有する、また、第２照明機器３２０も、第１照明機器３１０と同様に、好ましくは照明の明るさを変更可能である。
【００４９】
照明コントローラ３３０は、例えば、図示しないリモートコントローラに対する照明装置３００のユーザによる各種指示に基づき、第１照明機器３１０及び第２照明機器３２０の動作を制御する。照明コントローラ３３０は、ＣＰＵ、メモリ、入出力ポート等を主に有するＭＣＵを含む。照明コントローラ３３０は、第１照明機器３１０及び第２照明機器３２０のオン／オフや、第１照明機器３１０及び第２照明機器３２０の照明の色や明るさ等を制御する。
【００５０】
照明コントローラ３３０は、図示しないモデム／ＯＮＵやルータ等を介してネットワークＮＷに接続され、空気調和装置１００のコントローラ５０及びサーバ２００と通信可能に接続されている。照明コントローラ３３０は、コントローラ５０及びサーバ２００と共に制御装置６００を構成する（図３参照）。制御装置６００による対象空間Ｒの照明状態を変更するための照明装置３００の制御（第１照明機器３１０及び第２照明機器３２０の制御）については後述する。
【００５１】
（２−３）カメラ
カメラ４００は、対象空間Ｒを撮像する装置である。カメラ４００は、例えば、静止画を撮像する装置である。ただし、後述する制御装置６００の制御部６２０が、動画に基づいて、対象空間Ｒに料理が存在するか否かや、料理の種類や、料理の位置等を判定／判断する場合には、カメラ４００は動画を撮像する装置であってもよい。また、カメラ４００は、カラー画像を撮像することが好ましいが、モノクロ画像を撮像する装置であってもよい。カメラ４００は、制御装置６００と通信可能に接続される。カメラ４００が撮像した画像（画像データ）は、制御装置６００へと送信される。
【００５２】
カメラ４００は、例えば、室内機１０の筐体１１の前面パネルの外面に配置されている（図１参照）。なお、カメラ４００の配置される位置は、筐体１１の前面パネルの外面に限定されるものではなく、適宜選択されればよい。例えば、カメラ４００は、筐体１１の下面に配置されてもよい。また、カメラ４００は、筐体１１上ではなく筐体１１に隣接する位置等に取り付けられてもよい。ただし、カメラ４００は、少なくとも対象空間Ｒの飲食が行われる場所（例えば料理が置かれる食卓）の画像が撮像可能な位置に設けられていることが好ましい。
【００５３】
なお、他の実施形態では、カメラ４００は、室内機１０とは独立した装置であって、筐体１１とは離れた場所に配置されてもよい。この場合にも、カメラ４００は、制御装置６００と通信可能に接続され、制御装置６００に対して画像データを送信可能に構成されていることが好ましい。
【００５４】
なお、本実施形態では、カメラ４００は１台であるが、カメラ４００の台数は１台に限定されるものではなく、カメラ４００は複数台であってもよい。
【００５５】
（２−４）サーバ
サーバ２００は、ネットワークＮＷを介して空気調和装置１００のコントローラ５０及び照明装置３００の照明コントローラ３３０と通信可能に接続され、コントローラ５０及び照明コントローラ３３０と共に制御装置６００を構成するコンピュータである。サーバ２００は、ＣＰＵ、ＲＡＭ、ＲＯＭ、及びハードディスク等の外部記憶装置を主に備えている。サーバ２００は、ＲＯＭや外部記憶装置等に記憶された各種プログラムを実行することで、コントローラ５０及び照明コントローラ３３０と共に制御装置６００として各種処理を実行する。
【００５６】
（２−５）制御装置
制御装置６００は、空気調和装置１００及び照明装置３００の動作を制御する制御装置である。概括すると、制御装置６００は、対象空間Ｒの画像に基づいて対象空間Ｒに料理が存在するか否かを判定し、対象空間Ｒに料理が存在すると判定される場合に、対象空間Ｒの画像に基づいて空気調和装置１００及び／又は照明装置３００の動作を制御する。
【００５７】
制御装置６００は、ネットワークＮＷにより通信可能に接続される空気調和装置１００のコントローラ５０と、照明装置３００の照明コントローラ３３０と、サーバ２００と、により構成される。
【００５８】
制御装置６００は、機能部として、画像取得部６１０と、制御部６２０と、入力部６４０と、記憶部６７０と、を有する（図３参照）。
【００５９】
例えば、本実施形態では、サーバ２００が画像取得部６１０と制御部６２０としての機能を、コントローラ５０のリモートコントローラ３０及び／又は照明装置３００の図示しないリモートコントローラが入力部６４０としての機能を有する。また、サーバ２００は、記憶部６７０のパターンデータベース６７２を有する。ただし、制御装置６００は、全体として、後述する画像取得部６１０、制御部６２０、入力部６４０、及び記憶部６７０として機能すればよい。コントローラ５０、照明コントローラ３３０及びサーバ２００のそれぞれがどの機能を発揮するかは、適宜設計されればよい。
【００６０】
（２−５−１）画像取得部
画像取得部６１０は、対象空間Ｒの画像を取得する。具体的には、画像取得部６１０は、カメラ４００から送信されてくる対象空間Ｒの画像（画像データ）を取得する。画像取得部６１０が取得した対象空間Ｒの画像は、記憶部６７０に記憶され、後述する制御部６２０による各種処理に使用される。
【００６１】
（２−５−２）制御部
制御部６２０は、画像取得部６１０の取得した画像から、対象空間Ｒに料理が存在するか否かを判定し、対象空間Ｒに料理が存在すると判定する場合に、画像取得部６１０が取得した画像に基づいて空気調和装置１００及び／又は照明装置３００を制御する。好ましくは、制御部６２０は、画像取得部６１０の取得した画像から対象空間Ｒにおける料理の位置を判断し、判断した料理の位置に基づいて空気調和装置１００及び／又は照明装置３００を制御する。また、好ましくは、制御部６２０は、画像取得部６１０の取得した画像から料理の種類を判断し、判断した料理の種類に基づいて空気調和装置１００及び／又は照明装置３００を制御する。また、好ましくは、制御部６２０は、画像取得部６１０の取得した画像から料理に生鮮品が含まれるか否かを判定し、料理に生鮮品が含まれると判定する場合に、室内ファン１２の吹き出す空気が生鮮品に直接当たらないように空気調和装置１００及び／又は照明装置３００を制御する。なお、ここでは、生鮮品とは、劣化の進みやすい食品であり、例えば未加熱で食される野菜（サラダ等）や海産物（刺身等）を含む。また、好ましくは、制御部６２０は、料理の温冷を判断し、判断した料理の温冷に基づいて空気調和装置１００及び／又は照明装置３００を制御する。例えば、制御部６２０は、判断した料理の温冷に基づいて、対象空間Ｒの温度を変更するように空気調和装置１００を制御する。また、好ましくは、制御部６２０は、画像取得部６１０の取得した画像から料理を食する食事の進捗度を判断し、判断した食事の進捗度に基づいて空気調和装置１００及び／又は照明装置３００を制御する。
【００６２】
制御部６２０は、主に、料理判断部６２２、位置判断部６２６、進捗判断部６２８、及び機器制御部６３０として機能することで、上述した処理を行う。料理判断部６２２、位置判断部６２６、進捗判断部６２８及び機器制御部６３０について説明する。
【００６３】
（２−５−２−１）料理判断部
料理判断部６２２は、画像取得部６１０が取得した対象空間Ｒの画像に基づいて、対象空間Ｒに料理が存在するか否かを判定する。
【００６４】
また、好ましくは、料理判断部６２２は、画像取得部６１０が取得した対象空間Ｒの画像に基づいて、対象空間Ｒに存在する料理の種類を判断する。なお、料理判断部６２２は、料理名を料理の種類として判断してもよいし、料理のジャンルを料理の種類として判断してもよい。料理のジャンルの判断は、例えば、料理が和食、中華、洋食等のいずれかにあたるかの判断であってもよいし、料理が麺料理、鍋料理、飲料、お菓子等のいずれかにあたるかの判断であってもよい。また、対象空間Ｒに存在する料理の種類は、各料理に対して判断されるものではなくてもよく、料理全体してその種類が判断されてもよい。料理全体に対する料理の種類の判断は、例えば、料理が朝食、昼食、夕食のいずれにあたるかの判断であってもよいし、料理が全体として和食、中華、洋食等のいずれかにあたるかの判断等であってもよい。
【００６５】
また、好ましくは、料理判断部６２２は、画像取得部６１０が取得した対象空間Ｒの画像に基づいて、対象空間Ｒに存在する料理に生鮮品が含まれるか否かを判定する。なお、料理判断部６２２は、対象空間Ｒに存在する料理のジャンルが生鮮品のジャンルに当てはまるかを判断することで対象空間Ｒに存在する料理に生鮮品が含まれるか否かの判定を行ってもよい。また、他の態様では、料理判断部６２２は、対象空間Ｒに存在する料理の料理名を判断した上で、料理名からその料理が生鮮品を用いた料理であるか否かを判定してもよい。
【００６６】
また、好ましくは、料理判断部６２２は、画像取得部６１０が取得した対象空間Ｒの画像に基づいて、対象空間Ｒに存在する料理の温冷を判断する。なお、料理判断部６２２は、対象空間Ｒに存在する料理のジャンルが温かい食品／冷たい食品／それ以外のいずれのジャンルに当てはまるかを判断することで、対象空間Ｒに存在する料理の温冷の判断を行ってもよい。また、他の態様では、料理判断部６２２は、対象空間Ｒに存在する料理の料理名を判断した上で、料理名からその料理が温かい食品又は冷たい食品であるか判断してもよい。
【００６７】
料理判断部６２２は、学習済みの識別器６２４を用いて、画像取得部６１０が取得した対象空間Ｒの画像データに基づき、対象空間Ｒに料理が存在するか否か、存在する料理の種類は何か等を判定する（学習については後述する）。なお、料理判断部６２２がどのような判定／判断を行うかは、識別器６２４の学習内容による。
【００６８】
＜識別器＞
識別器６２４には、対象空間Ｒの画像が入力された際に、対象空間Ｒに料理が存在するか否かを判定結果として出力するように学習処理が行われている。また、識別器６２４には、対象空間Ｒの画像が入力された際に、対象空間Ｒに存在する料理の種類の判断結果や、対象空間Ｒに存在する料理に生鮮品が含まれるか否かの判定結果や、対象空間Ｒに存在する料理の温冷の判断結果を出力するように学習処理が行われていることが好ましい。
【００６９】
本実施形態では、識別器６２４には、機械学習による学習処理が行われている。ここで、機械学習とは、コンピュータが、ルールベースではなく（判断のための規則等が予め与えられなくても）、与えられた情報に基づいて学習し、自律的に判断のための規則を見つけ出すことが可能な技術・手法を意味する。
【００７０】
識別器６２４は、例えば教師あり学習により学習済みである。なお、ここで、教師あり学習とは、入力とこれに対応する出力の正解（例えば、料理の種類や、料理が生鮮品であるか否かや、料理の温冷等）とを関連付けたデータ（教師データ）を提供することで、識別器６２４に学習させる機械学習の手法を意味する。
【００７１】
例えば、学習中の識別器６２４には、判定対象の料理を様々な角度や大きさで撮影した画像と、その画像に写っている料理の種類（料理名であっても、料理のジャンルであってもよい）とを関連付けた多数のデータが教師データとして提供される。また、例えば、学習中の識別器６２４には、判定対象の料理を様々な角度や大きさで撮影した画像と、その画像に写っている料理が生鮮品であるか否とを関連付けた多数のデータが教師データとして提供される。例えば、具体的には、学習中の識別器６２４には、刺身や寿司を様々な角度や大きさで撮影した画像と、その画像に写っている料理が生鮮品であるという情報とを関連付けた多数のデータが教師データとして提供される。また、例えば、学習中の識別器６２４には、判定対象の料理を様々な角度や大きさで撮影した画像と、その画像に写っている料理が温かい料理／冷たい料理／常温の料理のいずれであるかとを関連付けた多数のデータが教師データとして提供される。例えば、学習中の識別器６２４には、アイスクリームや、氷の入ったグラスや、鍋料理や、熱燗の徳利等を様々な角度や大きさで撮影した画像と、その画像に写っている料理が冷たい料理である／温かい料理であるという情報とを関連付けた多数のデータが教師データとして提供される。
【００７２】
また、学習中の識別器６２４には、判定対象の料理自体は入っていない食器や調理器具（鍋やホットプレート等）を様々な角度や大きさで撮影した画像と、その画像に写っている食器に入れられる料理の種類やその画像に写っている調理器具で調理される料理の種類等とを関連付けた多数のデータが教師データとして提供されてもよい。つまり、言い換えれば、料理判断部６２２は、料理自体の画像ではなく、料理が入れられた食器等の画像から料理の種類等を判断してもよい（例えば、対象空間Ｒの画像に、グラスが写っていれば料理として冷たい飲料がある、鍋が写っていれば料理として温かい鍋料理がある等）。また、料理判断部６２２は、料理自体の画像ではなく、料理が入れられた食器等の画像から対象空間Ｒに料理が存在するか否かを判定してもよい。
【００７３】
識別器６２４が用いる学習アルゴリズムは、例えば、ニューラルネットワーク（ディープラーニングを含む）であるが、その他の公知の機械学習アルゴリズム（例えばＳＶＭ（Support Vector Machine）等）であってもよい。なお、ここで説明する料理判断部６２２の判定／判断処理が複数の処理に分割され、分割されたそれぞれの処理が異なる識別器で実行されるような場合には、識別器のそれぞれの学習には、互いに異なる学習アルゴリズムが利用されてもよい。
【００７４】
料理判断部６２２は、入力としての画像取得部６１０が取得した対象空間Ｒの画像に対し、学習済みの識別器６２４を用いて、対象空間Ｒに料理が存在するか否かを判定する。料理判断部６２２は、例えば、対象空間Ｒの画像中に、ある種類の料理が写っている領域が存在するかを判定する。料理判断部６２２は、例えば、対象空間Ｒの画像に表れる形状や色調等に基づいて、ある種類の料理が写っている領域が存在するかを判定する。つまり、ここでは、料理判断部６２２は、対象空間Ｒに料理が存在するか否かの判定と、対象空間Ｒに存在する料理の種類の判断とを同時に実行する。
【００７５】
また、好ましくは、料理判断部６２２は、対象空間Ｒに料理が存在すると判定される場合に、画像取得部６１０の取得した対象空間Ｒの画像から、対象空間Ｒに存在する料理に生鮮品が含まれるか否かの判定を行う。例えば、料理判断部６２２は、入力としての対象空間Ｒの画像に対し、学習済みの識別器６２４を用いて、対象空間Ｒに存在する料理に生鮮品が含まれるか否かを判定する。なお、料理判断部６２２は、識別器６２４を用いる代わりに、対象空間Ｒに存在する料理の料理名（例えば刺身）を判断した後に、所定のルールに従い（例えば、判断した料理名を生鮮品のリストと比較することで）、対象空間Ｒに存在する料理に生鮮品が含まれるか否かを判定してもよい。
【００７６】
また、好ましくは、料理判断部６２２は、対象空間Ｒに料理が存在すると判定される場合に、画像取得部６１０が取得した対象空間Ｒの画像から、対象空間Ｒに存在する料理の温冷を判断する。例えば、料理判断部６２２は、入力としての対象空間Ｒの画像に対し、学習済みの識別器６２４を用いて、対象空間Ｒに存在する料理の温冷を判断する。なお、料理判断部６２２は、識別器６２４を用いる代わりに、対象空間Ｒに存在する料理の料理名（例えばアイスクリーム）を判断した後に、所定のルールに従い（例えば、判断した料理名を温冷品のリストと比較することで）、対象空間Ｒに存在する料理の温冷を判断してもよい。
【００７７】
（２−５−３）位置判断部
位置判断部６２６は、料理判断部６２２が対象空間Ｒに料理が存在すると判定した場合に、画像取得部６１０が取得した対象空間Ｒの画像に基づいて、対象空間Ｒにおける料理（存在すると判定した料理）の位置を判断する。
【００７８】
例えば、位置判断部６２６は、料理判断部６２２が対象空間Ｒの画像中に料理が写っている領域（料理領域と呼ぶ）が存在すると判定した場合に、対象空間Ｒの画像中の料理領域の位置と現実の空間における料理の位置とを関連付けたデータベースや演算式等を用いて、対象空間Ｒの画像内の料理領域の位置から現実の空間における料理の位置を判断する。好ましくは、位置判断部６２６は、料理が空気調和装置１００の室内機１０に対してどの位置に存在するかを判断する。また、好ましくは、位置判断部６２６は、料理が照明装置３００の第１照明機器３１０及び第２照明機器３２０に対してどの位置に存在するかを判断する。
【００７９】
なお、位置判断部６２６による料理の位置の判断手法は、ここに記載したような方法に限定されるものではなく、各種手法が適用されればよい。
【００８０】
（２−５−４）進捗判断部
進捗判断部６２８は、画像取得部６１０が取得した対象空間Ｒの画像に基づいて、対象空間Ｒに存在する食事を食する食事の進捗度を判断する。
【００８１】
例えば、進捗判断部６２８は、記憶部６７０に記憶されている、料理判断部６２２が対象空間Ｒにある料理が存在すると最初に判定した際に判定に用いた対象空間Ｒの画像と、直近に画像取得部６１０が取得した対象空間Ｒの画像とを比較することで、食事の進捗度を判断する。例えば、進捗判断部６２８は、対象空間Ｒの画像中の料理領域（例えば食器の画像も含む領域）の中で、実際に料理の存在する領域をエッジ検出等の手法で特定し、実際に料理の存在する領域の面積変化に基づいて食事の進捗度を判断してもよい。
【００８２】
また、進捗判断部６２８は、入力としての人の画像に対し人の動作内容の判断（特には人が飲食動作をしているか否かの判断）を出力する学習済みの識別器を用いて、人が飲食動作を開始した後、所定時間以上休止している場合に、食事が終了したという判断をしてもよい。
【００８３】
また、進捗判断部６２８は、食事の進捗度の異なる料理の画像と、その画像に写っている料理の食事の進捗度（進捗度を表す数値）とを関連付けた多数のデータを教師データとして用いて学習した識別器を用いて、対象空間Ｒの画像から食事の進捗度を判断してもよい。
【００８４】
なお、進捗判断部６２８による食事の進捗度の判断手法は、ここに記載したような方法に限定されるものではなく、各種手法が適用されればよい。
【００８５】
（２−５−５）機器制御部
機器制御部６３０は、料理判断部６２２が対象空間Ｒに料理が存在すると判定した場合に、対象空間Ｒの画像に基づいて空気調和装置１００及び／又は照明装置３００の動作を制御する。例えば、機器制御部６３０は、料理判断部６２２が対象空間Ｒに料理が存在すると判定した場合に、主に対象空間Ｒに存在する料理の画像（好ましくは、料理が盛り付けられた食器や、料理が調理される鍋やホットプレートの画像を含む）に基づいて空気調和装置１００及び／又は照明装置３００の動作を制御する。
【００８６】
機器制御部６３０は、例えば、料理判断部６２２が対象空間Ｒの画像に基づいて判断した料理の種類に基づいて空気調和装置１００及び／又は照明装置３００の動作を制御する。また、機器制御部６３０は、例えば、料理判断部６２２が対象空間Ｒの画像に基づいて判定した料理に生鮮品が含まれているか否かに基づいて空気調和装置１００及び／又は照明装置３００の動作を制御する。また、機器制御部６３０は、例えば、料理判断部６２２が対象空間Ｒの画像に基づいて判定した料理の温冷に基づいて空気調和装置１００及び／又は照明装置３００の動作を制御する。また、機器制御部６３０は、例えば、位置判断部６２６が対象空間Ｒの画像に基づいて判定した料理の位置に基づいて空気調和装置１００及び／又は照明装置３００の動作を制御する。また、機器制御部６３０は、例えば、進捗判断部６２８が対象空間Ｒの画像に基づいて判定した食事の進捗度に基づいて空気調和装置１００及び／又は照明装置３００の動作を制御する。
【００８７】
なお、機器制御部６３０は、料理の種類、料理に生鮮品が含まれているか否か、料理の温冷、料理の位置及び食事の進捗度のうちの１つの要素に基づいて空気調和装置１００及び／又は照明装置３００の動作を制御してもよい。また、機器制御部６３０は、複数の要素の組合せに基づいて、空気調和装置１００及び／又は照明装置３００の動作を制御してもよい。
【００８８】
なお、機器制御部６３０は、料理判断部６２２が対象空間Ｒに料理が存在すると判定した場合に使用可能な、空気調和装置１００及び照明装置３００の制御パターンを複数有することが好ましい。言い換えれば、機器制御部６３０は、料理判断部６２２が対象空間Ｒに料理が存在すると判定した場合に、空気調和装置１００及び照明装置３００を様々な（少なくとも２種類以上の）制御内容で動作させることが可能であることが好ましい（なお、ここでは、空気調和装置１００及び照明装置３００の制御パターンという語は、空気調和装置１００及び照明装置３００の制御内容と概ね同じ意味で用いられる）。そして、機器制御部６３０は、料理判断部６２２が対象空間Ｒに料理が存在すると判定した場合に、例えば、料理判断部６２２が判定した料理の種類に応じた内容（制御パターン）で空気調和装置１００を制御することが好ましい。
【００８９】
具体的な処理としては、料理判断部６２２が対象空間Ｒに料理が存在すると判定すると、機器制御部６３０は、記憶部６７０のパターンデータベース６７２を参照する。なお、パターンデータベース６７２には、例えば、図４のようなリストが記憶されている。図４のリストでは、料理の種類や、料理に生鮮品が含まれているか否かや、料理の温冷といった条件に対し、各条件に対応する空気調和装置１００及び／又は照明装置３００の制御内容（制御パターン）が関連付けられている。
【００９０】
そして、機器制御部６３０は、料理判断部６２２が判断した料理の種類に対応する制御内容をパターンデータベース６７２から特定し、特定した制御内容で空気調和装置１００及び／又は照明装置３００を制御する。また、例えば、機器制御部６３０は、料理判断部６２２による料理に生鮮品が含まれているか否かの判定結果や、料理判断部６２２による料理の温冷の判断結果に対応する制御内容をパターンデータベース６７２から特定し、特定した制御内容で空気調和装置１００及び／又は照明装置３００を制御する。
【００９１】
なお、料理判断部６２２が対象空間Ｒに存在すると判定した料理が、パターンデータベース６７２において複数の条件に当てはまる場合が考えられる。例えば、図４のリストがパターンデータベース６７２に記憶されており、料理判断部６２２が、対象空間Ｒに存在する料理は鍋料理であり温かい料理であると判断したとする。この場合には、対象空間Ｒに存在する料理は、図４のリストの２つの条件に当てはまる。このような場合には、機器制御部６３０は、互いに矛盾しなければ複数の条件のそれぞれに対応する制御内容を全て実行してもよい。また、対象空間Ｒに存在すると判定された料理がパターンデータベース６７２において複数の条件に当てはまる場合、機器制御部６３０は、予め定められた優先度に基づいて、複数存在する対応する制御内容のうち一部だけを実施してもよい。
【００９２】
図４に示された制御内容について説明する。
【００９３】
設定温度高めという制御は、空気調和装置１００の設定温度を（例えばリモートコントローラ３０から設定された設定温度に対し）高めに設定するという制御である。例えば、設定温度高めの制御として、空気調和装置１００の設定温度を、リモートコントローラ３０から設定された設定温度に対し１度上げるというような制御が行われる。また、設定温度低めという制御は、空気調和装置１００の設定温度を（例えばリモートコントローラ３０から設定された設定温度に対し）低めに設定するという制御である。例えば、設定温度低めの制御として、空気調和装置１００の設定温度を、リモートコントローラ３０から設定された設定温度に対し１度下げるというような制御が行われる。このような制御が行われることで、料理を食べることで下降する／上昇する体温に合わせた適切な空気環境を実現できる。
【００９４】
また、図４中の風を当てないという制御は、空気調和装置１００の室内機１０の吹き出す空気の方向を、料理に直接当たらない方向に変更するという制御である。また、これに代えて、風を当てないという制御は、空気調和装置１００の室内機１０の吹き出す空気が料理まで届かないように、室内機１０の室内ファン１２の風量を減らすという制御であってもよい。このような制御が行われることで、（特に温風による）生鮮品の鮮度の劣化を抑制したり、温かい料理の温度の低下を抑制したり、料理から出る臭いや煙の拡散を抑制したりすることができる。なお風を当てないという制御を行う際には、機器制御部６３０は、位置判断部６２６が判断した料理の位置に基づいて、風向調節フラップ１７の動作の制御（室内機１０の風向の制御）や、室内ファン１２の風量の制御を行うことが好ましい。
【００９５】
また、図４中の、照明明るめ／照明暗め、昼白色／電球色という制御は、照明装置３００の第１照明機器３１０又は第２照明機器３２０の照明の明るさや色を、その設定に変更する制御である。このような制御が行われることで、その料理を食べるのに適した照明状態（例えば、朝食であれば比較的明るい照明状態、夕食であれば少し暗めのリラックスした空間を演出できる照明状態）を実現できる。
【００９６】
また、間接照明という制御は、通常は直接照明（第１照明機器３１０）が利用されている場合に、第１照明機器３１０を消灯して、照明を間接照明（第２照明機器３２０）に変更する制御である。このような制御が行われることで、その料理の飲食を行うのに適切な照明状態を実現できる。
【００９７】
なお、図４に示した制御内容は一例に過ぎず、各料理に対して、その料理を食べるのに適した空気調和装置１００及び／又は照明装置３００の制御内容が適宜選択されればよい。例えば、図４では、制御内容として空気調和装置１００による湿度の制御が含まれていないが、制御内容には湿度調整に関する内容が含まれてもよい。また、環境調整システム１に環境調整部として空気清浄機や換気扇が含まれるような場合には、制御内容には、（臭い対策等を目的として）空気清浄機や換気扇の運転を開始する制御が含まれてもよい。また、図４では、制御内容に、料理の位置に基づいて照明装置３００を制御するような制御が含まれていないが、制御内容には、位置判断部６２６が判断した料理の位置に基づいて使用する照明機器や、照明の明るさや色を変更する制御が含まれてもよい。
【００９８】
さて、機器制御部６３０は、上記の空気調和装置１００及び／又は照明装置３００の制御に代えて又は加えて、進捗判断部６２８が判断した食事の進捗度に基づいて空気調和装置１００及び／又は照明装置３００の動作を制御することが好ましい。具体的には、機器制御部６３０は、パターンデータベース６７２に記憶された情報に基づいて、料理判断部６２２による料理の種類の判断結果等に対応する制御内容で空気調和装置１００及び／又は照明装置３００の動作を制御し始めた後、所定の食事の進捗度で、例えば本実施形態では食事が終わりかけた時に、空気調和装置１００及び／又は照明装置３００の制御内容を変更することが好ましい。ここでは、食事が終わりかけた時に機器制御部６３０が実行する制御を終了時制御と呼ぶ。終了時制御の制御内容は、例えば、対象空間Ｒに料理が存在すると判定する前の空気調和装置１００及び／又は照明装置３００の制御内容と同一の制御内容である。また、例えば、終了時制御の制御内容は、対象空間Ｒに料理が存在すると判定する前の空気調和装置１００及び／又は照明装置３００の制御内容とも、対象空間Ｒに料理が存在すると判定された後の空気調和装置１００及び／又は照明装置３００の制御内容とも異なるものであってもよい。例えば、機器制御部６３０は、終了時制御として、それ以前よりも（食事の進捗度が低い時よりも）照明の明るさを暗くするよう照明装置３００を制御する。
【００９９】
このように、機器制御部６３０が、進捗判断部６２８が判断した食事の進捗度に基づいて空気調和装置１００及び／又は照明装置３００の動作を制御することで、食事の進捗度に応じた快適な空間環境が実現されやすい。
【０１００】
（２−５−６）入力部
入力部６４０は、空気調和装置１００及び照明装置３００に対するユーザの指示を受け付ける機能部である。例えば、入力部６４０は、空気調和装置１００のオン／オフ、運転モード（冷房運転、暖房運転、除湿運転、送風運転等）の設定、室内機１０の風量や風向の設定等の指示を受け付ける。また、入力部６４０は、照明装置３００のオン／オフ、第１照明機器３１０と第２照明機器３２０のいずれを点灯させるか、照明の明るさや色の設定等の指示を受け付ける。また、入力部６４０は、対象空間Ｒに料理が存在すると判定される場合に、機器制御部６３０が対象空間Ｒの画像（主には料理の画像）に基づいて空気調和装置１００及び／又は照明装置３００を制御することを許可するか否かの入力を受け付ける。機器制御部６３０が対象空間Ｒの画像に基づいて空気調和装置１００及び／又は照明装置３００を制御することを許可する旨の入力を入力部６４０が受け付けている場合に、機器制御部６３０が料理判断部６２２の判定結果等に基づいて空気調和装置１００の動作を制御する。なお、機器制御部６３０が対象空間Ｒの画像に基づいて空気調和装置１００及び／又は照明装置３００を制御することを禁止する旨の入力を入力部６４０が受け付けている場合には、対象空間Ｒに料理が存在しても、これにより空気調和装置１００及び／又は照明装置３００の動作は変更されない。
【０１０１】
また、制御装置６００では、パターンデータベース６７２に記憶される情報が、入力部６４０に対するユーザの入力に基づいて書き換え可能に構成されていることが好ましい。つまり、制御装置６００では、対象空間Ｒに料理が存在すると判定される場合に、料理の種類等に応じて機器制御部６３０がどの様な制御内容で空気調和装置１００及び／又は照明装置３００の動作を制御するかは、ユーザの入力により変更可能に構成されていることが好ましい。なお、制御装置６００では、パターンデータベース６７２に記憶されている全ての情報を書き換え可能でなくてもよく、例えば、図４に示したリストの一部の内容だけを書き換え可能に構成されていてもよい。
【０１０２】
（２−５−７）記憶部
記憶部６７０は、制御装置６００で用いられる各種情報を記憶している。例えば、記憶部６７０には、画像取得部６１０が取得した画像データが記憶される。
【０１０３】
また、記憶部６７０は、情報の記憶領域として、パターンデータベース６７２を有している。パターンデータベース６７２に記憶される情報については既に説明したため、ここでは説明を省略する。
【０１０４】
なお、パターンデータベース６７２には、予めデフォルトのデータが記憶されていてもよい。また、他の態様では、パターンデータベース６７２にはデフォルトのデータは記憶されておらず、制御装置６００は、環境調整システム１の利用開始時等に、ユーザに対しパターンデータベース６７２に対する情報の入力を要求してもよい。
【０１０５】
（３）対象空間の環境調整制御
図５を参照しながら、環境調整システム１による対象空間Ｒの環境制御について説明する。なお、ここで説明するフローチャートは制御フローの一例であって、制御フローを限定するものではない。
【０１０６】
ここでは、料理判断部６２２は、所定時間毎に、画像取得部６１０が対象空間Ｒの画像（例えば、直前にカメラ４００が撮像した画像）に基づいて、対象空間Ｒに料理が存在するか否かと、（料理が存在する場合に）その料理の種類は何かと、を判定しているものとする（ステップＳ１）。所定時間は、限定するものではないが、比較的短い時間（例えば１分毎）であることが好ましい。ステップＳ１の処理は、対象空間Ｒに料理が存在すると判定されるまで繰り返し実行される。
【０１０７】
ステップＳ１において、料理判断部６２２が対象空間Ｒに、ある種類の料理（第１料理と呼ぶ）が存在すると判定したと場合には、処理はステップＳ２に進む。なお、ここでは、説明の単純化のため、第１料理の存在が判定された後、一連の制御フロー（ステップＳ２〜ステップＳ７）が終了するまでの間、他の料理が存在するという判定はされなかったものとする。
【０１０８】
ステップＳ２では、位置判断部６２６が、画像取得部６１０が取得した対象空間Ｒの画像（ステップＳ１で対象空間Ｒに料理が存在するか否かの判定に用いられた画像）に基づいて、対象空間Ｒにおける第１料理の位置を判断する。好ましくは、位置判断部６２６は、第１料理と、空気調和装置１００の室内機１０及び照明装置３００の照明機器３１０，３２０との位置関係を判断する。
【０１０９】
次に、ステップＳ３では、料理判断部６２２が、第１料理に生鮮品が含まれているかの判定と、第１料理の温冷の判断（第１料理が温かい料理又は冷たい料理のいずれかであるかの判断）とを行う。なおステップＳ３の処理は、ステップＳ１で行われる第１料理の種類の判定と同時に行われてもよい。
【０１１０】
次に、ステップＳ４では、機器制御部６３０が、記憶部６７０のパターンデータベース６７２を参照して、第１料理の種類の判断結果、第１料理に生鮮品が含まれているか否かの判定結果、第１料理の温冷の判断結果等の条件に対応する空気調和装置１００及び／又は照明装置３００の制御内容（１つ又は複数）を特定する。また、機器制御部６３０は、特定された制御内容で空気調和装置１００の制御を開始する。なお、料理の位置情報が空気調和装置１００及び／又は照明装置３００の制御に必要な場合には、機器制御部６３０は、位置判断部６２６が対象空間Ｒの画像に基づいて判定した料理の位置に基づいて、空気調和装置１００及び／又は照明装置３００を制御する。
【０１１１】
次に、進捗判断部６２８は、画像取得部６１０が取得した対象空間Ｒの画像に基づいて、対象空間Ｒに存在する第１料理を食する食事の進捗度を判断する（ステップＳ５）。ステップＳ５の処理は、食事が終了間近である、又は、食事が終了したと判断するまで、所定時間毎に繰り返し実行される（ステップＳ６）。
【０１１２】
ステップＳ６において、食事が終了間近である、又は、食事が終了したと判断されると、処理はステップＳ７へと進む。そして、機器制御部６３０は、進捗判断部６２８による食事の進捗度の判断結果に基づいて、空気調和装置１００及び／又は照明装置３００を制御する。具体的には、機器制御部６３０は、前述の終了時制御を行う。
【０１１３】
終了時制御の制御内容は、例えば、対象空間Ｒに第１料理が存在すると判定される前の（ステップＳ１でＹｅｓと判定される前に実行されていた）空気調和装置１００及び／又は照明装置３００の制御内容と同一の制御内容である。この場合、機器制御部６３０が終了時制御を開始すると共に対象空間Ｒの環境制御の処理フローが一旦終了され、その後、再び処理フローはステップＳ１に戻る。
【０１１４】
また、例えば、終了時制御の制御内容は、対象空間Ｒに第１料理が存在すると判定する前の空気調和装置１００及び／又は照明装置３００の制御内容とも、ステップＳ４で特定された空気調和装置１００及び／又は照明装置３００の制御内容とも異なるものであってもよい。この場合、例えば、機器制御部６３０は終了時制御を所定時間実行し、その後、空気調和装置１００及び／又は照明装置３００の制御内容を対象空間Ｒに第１料理が存在すると判定される前の制御内容に戻す。そして、対象空間Ｒの環境制御の処理フローが一旦終了され。その後、再び処理フローはステップＳ１に戻る。
【０１１５】
（４）特徴
（４−１）
本実施形態の環境調整システム１は、環境変更部としての空気調和装置１００及び照明装置３００と、画像取得部６１０と、制御部６２０と、を備える。空気調和装置１００は、対象空間Ｒの空気環境を変更する。照明装置３００は、対象空間Ｒの照明状態を変更する。画像取得部６１０は、対象空間Ｒの画像を取得する。制御部６２０は、画像取得部６１０の取得した画像から、対象空間Ｒに料理が存在するか否かを判定する。制御部６２０は、対象空間Ｒに料理が存在すると判定する場合に、画像取得部６１０が取得した画像に基づいて空気調和装置１００及び／又は照明装置３００を制御する。
【０１１６】
ここでは、料理の存在する空間（料理を食べる空間）の画像に基づき、その空間の空気環境や照明状態が制御されるので、料理を楽しむのに適した空間環境が実現されやすい。
【０１１７】
（４−２）
本実施形態の環境調整システム１では、制御部６２０は、画像取得部６１０の取得した画像から対象空間Ｒにおける料理の位置を判断し、判断した料理の位置に基づいて空気調和装置１００及び／又は照明装置３００を制御する。
【０１１８】
ここでは、料理の位置に基づいて空気調和装置１００及び／又は照明装置３００が制御されるので、料理を楽しむのに適した空間環境が実現されやすい。
【０１１９】
（４−３）
本実施形態の環境調整システム１では、制御部６２０は、画像取得部６１０の取得した画像から料理の種類を判断し、判断した料理の種類に基づいて空気調和装置１００及び／又は照明装置３００を制御する。
【０１２０】
ここでは、料理の種類に基づいて空気調和装置１００及び／又は照明装置３００が制御されるので、料理を楽しむのに適した空間環境が実現されやすい。
【０１２１】
（４−４）
本実施形態の環境調整システム１では、空気調和装置１００は、対象空間Ｒに空気を吹き出す送風機構の一例としての室内ファン１２が吹き出す空気の気流を変更する。ここで、空気調和装置１００が室内ファン１２の吹き出す空気の気流を変更するとは、空気調和装置１００が、室内ファン１２の吹き出す空気の風向及び風量の少なくとも一方を制御することが可能であることを意味する。制御部６２０は、画像取得部６１０の取得した画像から料理に生鮮品が含まれるか否かを判定する。制御部６２０は、料理に生鮮品が含まれると判定する場合に、室内ファン１２の吹き出す空気が生鮮品に直接当たらないように空気調和装置１００を制御する。
【０１２２】
具体的には、制御部６２０は、料理に生鮮品が含まれると判定する場合に、風向調節フラップ１７の動作を制御して、室内ファン１２の吹き出す空気が生鮮品に直接当たらないように空気調和装置１００の室内機１０を制御する。また、このような態様に代えて、制御部６２０は、料理に生鮮品が含まれると判定する場合に、室内ファン１２の吹き出す空気の風量を制御して（風量を減らして）、生鮮品に空気が直接当たらないように空気調和装置１００の室内機１０を制御してもよい。
【０１２３】
ここでは、生鮮品に直接風が当たらないように気流が制御されるので、生鮮品が乾燥／劣化する等の問題の発生を抑制することができる。
【０１２４】
なお、特に空気調和装置１００の室内機１０が温風を吹き出す場合（空気調和装置１００が暖房運転を行う場合）には、制御部６２０は、生鮮品に直接風が当たらないように室内ファン１２の吹き出す空気の気流を制御することが好ましい。
【０１２５】
（４−５）
本実施形態の環境調整システム１では、制御部６２０は、料理の温冷を判断し、判断した料理の温冷に基づいて空気調和装置１００及び／又は照明装置３００を制御する。
【０１２６】
ここでは、料理の温冷に基づいて空気調和装置１００及び／又は照明装置３００が制御されるので、料理を楽しむのに適した空間環境が特に実現されやすい。
【０１２７】
（４−６）
本実施形態の環境調整システム１では、空気調和装置１００は、対象空間Ｒの温度を変更する。制御部６２０は、判断した料理の温冷に基づいて、対象空間Ｒの温度を変更するように空気調和装置１００を制御する。
【０１２８】
ここでは、料理の温冷に基づいて対象空間Ｒの温度が変更されるので、料理を楽しむのに適した空間環境が特に実現されやすい。
【０１２９】
（４−７）
本実施形態の環境調整システム１では、制御部６２０は、画像取得部６１０の取得した画像から料理を食する食事の進捗度を判断し、判断した食事の進捗度に基づいて空気調和装置１００及び／又は照明装置３００を制御する。
【０１３０】
ここでは、料理の進捗度に基づいて空気調和装置１００及び／又は照明装置３００が制御されるので、食事の進捗度に応じた快適な空間環境が実現されやすい。
【０１３１】
（５）変形例
以下に上記実施形態の変形例を説明する。なお、各変形例の構成の一部又は全部は、他の変形例の構成の一部又は全部と互いに矛盾しない範囲で複数組み合わされてもよい。
【０１３２】
（５−１）変形例Ａ
上記実施形態では、環境調整システム１の制御装置６００は、空気調和装置１００のコントローラ５０、照明装置３００の照明コントローラ３３０、及びサーバ２００により構成される。しかし、制御装置６００の構成は、これに限定されるものではない。例えば、環境調整システム１にはサーバ２００は含まれず、コントローラ５０及び照明コントローラ３３０だけで制御装置６００として機能してもよい。
【０１３３】
また、環境調整システム１の制御装置６００は、住宅Ａに設置されるローカルのコントローラ（図示せず）と、サーバ２００と、により構成されてもよい。なお、ローカルのコントローラは、空気調和装置１００のコントローラ５０及び照明装置３００の照明コントローラ３３０とは別のコントローラである。そして、制御装置６００の制御部６２０は、コントローラ５０及び照明コントローラ３３０に対し指令を送信することで、空気調和装置１００及び照明装置３００を制御してもよい。
【０１３４】
（５−２）変形例Ｂ
上記実施形態では、制御部６２０は、対象空間Ｒの画像から判定／判断される、料理の種類、料理に生鮮品が含まれているか否か、料理の温冷、料理の位置、及び食事の進捗度の全てを考慮して、空気調和装置１００及び照明装置３００の動作を制御しているが、これに限定されるものではない。例えば、制御部６２０、この中の一部については、考慮せずに空気調和装置１００及び照明装置３００の動作を制御してもよい。
【０１３５】
（５−３）変形例Ｃ
上記実施形態では、環境調整システム１がカメラ４００を備えているが、これに限定されるものではない。環境調整システム１の画像取得部６１０は、システム外部のカメラ（例えば、ユーザの携帯情報端末）で撮像された画像を取得するようにしてもよい。
【０１３６】
（５−４）変形例Ｄ
上記実施形態では、制御部６２０は、対象空間Ｒの画像から料理の温冷を判断しているが、料理の温冷の方法はこれに限定されるものではない。例えば、制御部６２０は、別途設けられるセンサ（図示せず、例えば赤外線カメラ）の温度計測結果に基づいて、料理の温冷を判断してもよい。
【０１３７】
（５−５）変形例Ｅ
上記実施形態では、料理判断部６２２が機械学習により学習済みの識別器６２４を用いて対象空間Ｒに料理が存在するか否かの判定や、料理の種類の判断等を行うが、料理判断部６２２は必ずしも識別器６２４を用いてこれらの判定をしなくてもよい。例えば、人がルール（画像にαという特徴がある場合には、βという種類の料理が存在するというようなルール）を制御装置６００に予め与えることが可能であれば、料理判断部６２２は、対象空間Ｒに料理が存在するか否か及び料理の種類をそのルールに基づいて判断してもよい。例えば、料理判断部６２２は、対象空間Ｒの画像中に鍋やホットプレートの形状等にマッチングする画像領域があれば、対象空間Ｒに温かい料理が存在していると判断するというルールに則って、対象空間Ｒに料理が存在するか否かを判定し、料理の種類を判断してもよい。
【０１３８】
（５−６）変形例Ｆ
制御部６２０は、対象空間Ｒに存在する（単品の）料理の種類や料理の温熱等ではなく、複数存在する料理の種類の組合せや複数存在する料理の温熱の組合せに基づいて、空気調和装置１００及び照明装置３００の動作を制御してもよい。例えば、制御部６２０は、複数の料理に占める温かい料理の割合に応じて、対象空間Ｒの温度や照明の明るさ等を調整するように、空気調和装置１００及び／又は照明装置３００の動作を制御してもよい。
【０１３９】
以上、本開示の実施形態及び変形例を説明したが、特許請求の範囲に記載された本開示の趣旨及び範囲から逸脱することなく、形態や詳細の多様な変更が可能なことが理解されるであろう。
【産業上の利用可能性】
【０１４０】
料理を楽しむための環境を提供する環境調整システムに広く適用でき有用である。
【符号の説明】
【０１４１】
１      環境調整システム
１２    室内ファン（送風機構）
１００  空気調和装置（環境変更部）
３００  照明装置（環境変更部）
６１０  画像取得部
６２０  制御部
Ｒ      対象空間
【先行技術文献】
【特許文献】
【０１４２】
【特許文献１】特開２０１３−５４５４１号公報
【図１】
2019178859.tif 000003
【図２】
2019178859.tif 000004
【図３】
2019178859.tif 000005
【図４】
2019178859.tif 000006
【図５】
2019178859.tif 000007